(57)【要約】【課題】  警報多発時においても、複数の警報項目に対してプラントの状態や必要な対応処置が迅速に把握でき、確実に確認処理が行える警報表示装置を得る。【解決手段】  プラント１の監視ポイントのデータを入力装置２を介して取り込み、出力する入力手段１０、入力手段１０の出力と警報情報データベース１４に格納した予め規定された正常状態のデータとを比較して警報発生を判定する警報判定手段１１、複数の監視ポイントをグループ分けして形成した複数のグループそれぞれの警報状態を表示する警報窓２０ａよりなる警報窓群表示部２０と警報メッセージを表示する警報メッセージ表示部２１とが設けられた表示装置３、警報窓群表示部２０に警報窓２０ａを表示し、警報発生の警報窓２０ａをフリッカ等で表示する警報窓表示手段１３、警報メッセージを警報メッセージ表示部２１に一覧表示する警報メッセージ表示手段１２を備えるものとする。【選択図】        図１
2006072677.tif 000002
【特許請求の範囲】
【請求項１】
プラントにおける複数の監視ポイントの計測データを取り込む複数の入力装置、
上記入力装置から上記計測データを取り込み、取り込んだ上記計測データを出力する入力手段、
上記入力手段により出力された上記計測データを予め規定された正常状態のデータと比較することによってプラントの異常による警報発生の有無を判定する警報判定手段、
上記予め規定された正常状態のデータを格納した警報情報データベース、
上記複数の監視ポイントをグループ分けして形成した複数のグループそれぞれの警報状態を表示する警報窓により形成された警報窓群表示部と、警報の詳細に関する警報メッセージを表示する警報メッセージ表示部とからなる表示エリアが設けられた表示装置、
上記警報窓群表示部に上記警報窓を表示するとともに、上記警報判定手段により警報発生と判断された警報窓を他の警報が発生していない警報窓と区別する警報状態の表示にする警報窓表示手段、
上記警報発生と判断された警報窓に関する警報メッセージを上記警報メッセージ表示部に一覧表示する警報メッセージ表示手段、
を備えたことを特徴とする警報表示装置。
【請求項２】
上記警報窓群表示部の警報窓は、上記プラントにおける上位の構成体を表示する警報窓から下位の構成体を表示する警報窓に至る階層に構成され、上記上位の構成体を表示する警報窓は上記下位の構成体を表示する警報窓を集約する手段を備えたことを特徴とする請求項１記載の警報表示装置。
【請求項３】
上記警報メッセージ表示手段は、上記警報メッセージ表示部に一覧表示された警報メッセージの一部を消去して選択表示する警報メッセージ絞り込み手段を備えたことを特徴とする請求項１または２記載の警報表示装置。
【請求項４】
上記警報メッセージ表示手段は、上記消去された警報メッセージを再表示する警報メッセージ再表示手段を備えたことを特徴とする請求項３記載の警報表示装置。
【請求項５】
上記警報情報データベースにおける上記警報窓のデータを監視中から監視休止とする、あるいは監視休止から監視中とする警報窓活休手段を備え、上記警報判定手段は、上記警報情報データベースにおける監視中の警報窓についてのみ警報発生の有無を判定することを特徴とする請求項１記載の警報表示装置。
【請求項６】
上記警報情報データベースにおける上記入力装置毎の警報窓を監視中から監視休止とする、あるいは監視休止から監視中とする入力装置警報活休手段を備え、上記警報判定手段は、上記警報情報データベースにおける監視中の警報窓についてのみ警報発生の有無を判定することを特徴とする請求項１記載の警報表示装置。
【発明の詳細な説明】
【技術分野】
【０００１】
本発明は、例えば、火力発電プラント等のプラント監視システムにおいて、プラントに異常が発生したことを運転員に告知する警報表示装置に関するものである。
【背景技術】
【０００２】
例えば、発電プラントにおいては、プラントの異常時に警報情報を警報表示画面に表示してプラントの監視を行う警報表示装置が採用されている。
【０００３】
従来の警報表示装置は、警報が発生すると、運転員が、表示画面における対話表示メニューの選択操作により、逐次画面表示を切り換えて警報発生のポイント、警報の内容などを知る。例えば、運転員は、プラント監視画面から警報表示画面への切り換え、警報メッセージ画面表示、警報メッセージ確認、プラント監視ポイントに対応した警報窓情報の表示、発生した警報に関連するプラント監視画面の検索、警報に関するトレンドグラフ及び系統図等の表示を逐次行う。このように、警報表示に必要な関連画面の表示の全てが対話表示メニューの選択操作によるものであるので、運転員の操作負荷が大きなものになるという問題がある。
【０００４】
また、発電プラントは、プラントの規模が大きく、かつ、複雑であるので、プラント監視システムにおいて、プラントの異常を検知して運転員に知らせる監視ポイントが多く、また、警報項目が詳細多岐にわたるという問題がある。
【０００５】
このような問題に対して、例えば、特許文献１に示された発電プラントのプラント監視システムに用いられている警報表示装置は、表示画面の一部に、プラントの複数の監視ポイントを集約化して複数のグループを形成し、各グループを表示する警報窓の群を表示する表示エリアを設け、プラント監視中、警報が発生した際に警報窓に色やフリッカ等により警報窓の表示状態に変化を与えることで、運転員が警報を容易に感知できるようにしている。
【０００６】
【特許文献１】特開２０００−１１２５２１号公報（第５頁、図１，２）
【発明の開示】
【発明が解決しようとする課題】
【０００７】
上記特許文献１に示された発電プラントのプラント監視システムに用いられている警報表示装置は、警報が発生した警報窓の詳細多岐にわたる警報項目を対話画面におけるメニュー選択操作で表示画面を多段に切り換えて表示させるようにしているので、警報発生から警報内容を読み出すまでの操作に時間がかかり、迅速な対応ができないという問題があった。
【０００８】
また、警報が多数発生した場合、多数の警報項目を表示切り換えして、目的とする警報項目を調べることが必要になり、運転員の負担が大きく、操作ミスを招きやすいという問題があった。
【０００９】
この発明は、上記のような問題を解決するためになされたものであり、警報多発時においても、複数の警報項目に対してプラントの状態や必要な対応処置が迅速に把握でき、確実に確認処理が行える警報表示装置を得ることを目的とする。
【課題を解決するための手段】
【００１０】
この発明に係る警報表示装置は、
プラントにおける複数の監視ポイントの計測データを取り込む複数の入力装置、
上記入力装置から上記計測データを取り込み、取り込んだ上記計測データを出力する入力手段、
上記入力手段により出力された上記計測データを予め規定された正常状態のデータと比較することによってプラントの異常による警報発生の有無を判定する警報判定手段、
上記予め規定された正常状態のデータを格納した警報情報データベース、
上記複数の監視ポイントをグループ分けして形成した複数のグループそれぞれの警報状態を表示する警報窓により形成された警報窓群表示部と、警報の詳細に関する警報メッセージを表示する警報メッセージ表示部とからなる表示エリアが設けられた表示装置、
上記警報窓群表示部に上記警報窓を表示するとともに、上記警報判定手段により警報発生と判断された警報窓を他の警報が発生していない警報窓と区別する警報状態の表示にする警報窓表示手段、
上記警報発生と判断された警報窓に関する警報メッセージを上記警報メッセージ表示部に一覧表示する警報メッセージ表示手段、
を備えたものである。
【発明の効果】
【００１１】
表示装置に、プラントの複数の監視ポイントをグループ分けして形成した複数のグループ毎の警報状態を表示する警報窓からなる警報窓群表示部と、警報の詳細に関する警報メッセージを表示する警報メッセージ表示部とからなる表示エリアを設け、警報発生により警報窓群表示部の警報が発生した警報窓の表示状態を警報が発生していない警報窓と区別する状態にして警報が発生した警報窓を運転者に告知するとともに、警報メッセージを警報メッセージ表示部に一覧表示するようにしたので、複数の警報発生に対してプラントの状態や必要な対応処置が迅速に把握できる。
【発明を実施するための最良の形態】
【００１２】
実施の形態１．
図１は、この発明に係る警報表示装置の実施の形態１を示すブロック図である。
図１に示したように、この実施の形態１における警報表示装置は、火力発電プラントなどのプラント１、プラント１における複数の監視ポイントの計測データを取り込む入力装置２、入力装置２から計測データを取り込み出力する入力手段１０、入力手段１０により出力された計測データを予め規定された正常状態のデータと比較することによってプラントの異常による警報発生の有無を判定する警報判定手段１１、予め規定された正常状態のデータを格納した警報情報データベース１４、警報内容が表示される表示装置３、表示装置３に警報窓２０ａの群を表示する警報窓表示手段１３、表示装置３に警報メッセージを一覧表示する警報メッセージ表示手段１２を備えている。
【００１３】
表示装置３には、プラントの警報状態を表示するための表示エリアである警報窓群表示部２０と、警報の詳細に関する警報メッセージを一覧表示する表示エリアである警報メッセージ表示部２１が設けられている。警報窓群表示部２０の各警報窓２０ａは、複数の監視ポイントをグループ分けして形成した複数のグループそれぞれの警報状態を表示するように形成されており、警報窓群表示部２０は複数個の警報窓２０ａを表示するように構成されている。
【００１４】
このように、複数の監視ポイントをグループ分けして形成した複数のグループ毎の警報状態を表示することにより、運転員に知らせる監視ポイントが多く、また、警報項目が詳細多岐にわたる規模の大きなプラントに対して、表示装置３に表示する表示ポイントを減らして運転員の監視の負荷を軽減することができる。
【００１５】
図２は、図１に示したブロック図の動作を説明するフローチャートである。
図２において、まず、プラント１から計測データを所定周期で入力装置２に取り込み、入力手段１０は入力装置２の計測データを取り込み、所定周期で警報判定手段１１に出力する（ステップＳ１）。
【００１６】
警報判定手段１１は、入力された計測データに対して、１点ずつ予め設定されたそれぞれの警報閾値を警報情報データベース１４から読み出し、計測データと比較し（ステップＳ２）、計測データが警報閾値の上限値または下限値を超えているか否かを判定し（ステップＳ３）、超えていれば警報と判定する。警報と判定されなかった場合は終了する。
【００１７】
警報と判定された場合は、警報判定手段１１は警報項目に警報発生時刻と異常内容の詳細を示す警報メッセージを付加するとともに、チャイムやブザー等でオペレータに告知する（ステップＳ４）。
【００１８】
警報メッセージ表示手段１２は、警報項目を発生順序に並べて表示装置３の警報メッセージ表示部２１へ一覧表示し、新規に発生した警報メッセージに対して表示色を例えば赤くする、あるいはフリッカする等により運転者に警報が発生したことを告知する（ステップＳ５）。
【００１９】
さらに、警報窓表示手段１３は、警報窓群表示部２０に発生した警報に対応した警報窓２０ａを例えば赤く表示する、あるいはフリッカする等により警報が発生していない警報窓２０ａと区別する警報状態の表示にして、運転者に警報メッセージが発生したこと及び発生箇所を告知する（ステップＳ６）。
【００２０】
以上に説明したステップＳ１〜ステップＳ６の流れは、繰り返し行われる。
【００２１】
図３は、警報窓表示手段１３及び警報メッセージ表示手段１２による表示装置３における表示例を示す図である。表示装置３の画面上部に、警報窓２０ａの群を表示する警報窓群表示部２０を設け、警報発生により警報窓群表示部２０の警報窓２０ａであるＧＴ、ＧＴ本体、ＧＴ補機、制御油、ＳＴ、ＳＴ本体、ＳＴ補機の表示状態が変化したことにより、警報が発生したことを確認することができる。
【００２２】
また、表示装置３の画面下部に設けられた警報メッセージ表示部２１に、警報メッセージが一覧表示され、警報発生によりどの警報窓２０ａに何時、どのような警報が発生したか等が表示され、複数の警報窓２０ａで警報が発生した場合でも運転者は警報の詳細を確認することができる。この警報メッセージは、プラントにおいて上位の構成体を示すＧＴに対して下位の構成体であるＧＴ本体、ＧＴ補機、制御油と、上位の構成体を示すＳＴに対して下位の構成体であるＳＴ本体、ＳＴ補機に関して表示される。
【００２３】
警報窓２０ａ及び警報メッセージの表示状態は警報が発生していることを明確にすることができるものであればよく、例えば、赤色フリッカーを赤色連続点灯に代えるなど種々の形態をとり得る。
【００２４】
以上のように、この実施の形態１によれば、表示装置３に、プラント１の複数の監視ポイントをグループ分けして形成した複数のグループそれぞれを表示する警報窓２０ａの群からなる警報窓群表示部２０と、警報の詳細に関するメッセージを一覧表示する警報メッセージ表示部２１とからなる表示エリアを設け、警報発生により警報窓群表示部２０の警報窓２０ａの表示状態を変化させて警報が発生したことを運転者に告知するとともに、警報の詳細を警報メッセージ表示部２１に一覧表示するようにしたので、複数の警報発生に対してプラントの状態や必要な対応処置が迅速に把握できる。
【００２５】
実施の形態２．
図４は、この発明に係る警報表示装置の実施の形態２を示すブロック図である。
この実施の形態２は、上記実施の形態１における警報メッセージ表示手段１２に、警報メッセージ絞り込み手段１５を加えたものである。
【００２６】
警報メッセージ絞り込み手段１５は、表示選択中の警報窓２０ａの一部を表示抑止対象の警報窓２０ａとし、表示抑止対象の警報窓２０ａ以外の警報窓２０ａの警報メッセージを抽出して警報メッセージ表示部２１に表示する編集機能を有する。この編集機能により、警報メッセージの絞り込みが可能になる。
【００２７】
図５は、表示装置において、警報メッセージ絞り込み手段１５により警報メッセージが編集される状態を示す図であり、網掛けの警報窓２０ａは警報発生中のもの、太枠の選択窓２０ａは警報メッセージ表示中のもの、細枠の選択窓２０ａは警報メッセージ表示抑止対象のものである。
【００２８】
図５（ａ）において、太枠で示したＧＴの下位の構成体であるＧＴ本体、ＧＴ補機、制御油及びＳＴの下位の構成体であるＳＴ本体、ＳＴ補機の警報窓２０ａに関する警報メッセージが警報メッセージ表示部２１に表示されている。
【００２９】
ここで、矢印４０で示すように警報窓２０ａの中のＳＴ本体を選択操作すると、図５（ｂ）に示したように、細枠で示したＳＴ本体は表示抑止対象の警報窓２０ａとなり、ＳＴ本体に関する警報メッセージは消去され、絞り込まれた警報メッセージが、警報メッセージ表示部２１に表示される。
【００３０】
この実施の形態２によれば、多数表示される警報メッセージを絞り込んで表示することにより、目的とする警報メッセージを調べやすくすることができる。
【００３１】
実施の形態３．
図６は、この発明に係る警報表示装置の実施の形態３を示すブロック図である。
この実施の形態３は、上記実施の形態２における警報メッセージ表示手段１２に、警報メッセージ再表示手段１６を加えたものである。
【００３２】
警報メッセージ再表示手段１６は、表示抑止対象の警報窓２０ａを表示に戻して、警報メッセージ表示部２１に表示する編集機能を有する。
【００３３】
図７は、表示装置において、警報メッセージ再表示手段１６により警報メッセージが編集される状態を示す図であり、太枠、細枠、網掛けの表示は図５と同様である。
【００３４】
図７（ａ）は、図５（ｂ）のように、絞り込まれた警報メッセージが表示された状態を示している。ここで、矢印４０で示すように警報窓２０ａの中のＳＴ本体を選択すると、図７（ｂ）に示したように、ＳＴ本体は警報メッセージ表示の警報窓２０ａとなり、ＳＴ本体の警報メッセージを含めた警報メッセージが、警報メッセージ表示部２１に表示される。
【００３５】
この実施の形態３によれば、絞り込みによって消去された警報メッセージの内容を確認することができる。
【００３６】
実施の形態４．
実施の形態４は、警報窓２０ａをプラントにおける上位の構成体から下位の構成体に至る階層に構成し、警報窓２０ａを階層単位で選択操作できるようにしたものである。
【００３７】
図８は、表示装置において、警報メッセージ絞り込み手段１５及び警報メッセージ再表示手段１６により警報メッセージが編集される状態を示す図であり、太枠、細枠、網掛けの表示は図５と同様である。
【００３８】
図８（ａ）において、上位の警報窓２０ａであるＧＴは、ＧＴの下位にあるＧＴ本体、ＧＴ補機、制御油を集約する手段を有し、矢印４０のようにＧＴを選択操作すると、図８（ｂ）に示したように、ＧＴの下位にあるＧＴ本体、ＧＴ補機、制御油の警報メッセージが表示抑制対象となって、これらの警報窓２０ａに関する警報メッセージが消去されて、ＳＴ本体、ＳＴ補機の警報メッセージのみが表示される。
【００３９】
また、図８（ｂ）に示したように、上位の警報窓２０ａであるＧＴを再度、矢印４０のように選択操作すると、図８（ａ）に示したように、ＧＴ本体、ＧＴ補機、制御油の警報窓２０ａに関する警報メッセージが再表示される。
【００４０】
この実施の形態４によれば、警報窓２０ａをプラントにおける上位の構成体から下位の構成体に至る階層に構成し、上位の警報窓２０ａが下位の警報窓２０ａを集約するようにしたので、警報メッセージの絞り込み及び再表示を階層単位で一括して行うことができ、多数表示される警報メッセージを絞り込んで表示することにより、目的とする警報メッセージを調べやすくすることができる。
【００４１】
実施の形態５．
図９は、この発明に係る警報表示装置の実施の形態５を示すブロック図である。
この実施の形態５は、上記実施の形態３（図６）の警報判定手段１１に、警報窓活休手段１７を加えたものである。
【００４２】
警報窓活休手段１７は、監視中の警報窓２０ａを監視休止とする、あるいは監視休止の警報窓２０ａを監視中とし、警報情報データベース１４中にある監視中あるいは監視休止に関するデータを更新する。警報判断手段１１は、警報情報データベース１４中の監視中の警報窓２０ａのみの判定を行う。
【００４３】
図１０は、警報窓活休手段１７による警報窓２０ａの監視中／監視休止の切換操作を説明する図である。
【００４４】
図１０（ａ）に示したように、表示装置３の画面上にある警報窓操作呼び出しボタンの選択操作４１で警報窓操作ウィンドウ２５を呼び出し、選択操作４２で監視休止とする警報窓（ここではＧＴ本体）を選択し、選択操作４３で休止を実行すると、図８（ｂ）に示したように、ＧＴ本体：休止中に変わり、警報情報データベース１４中のデータがこの監視休止のデータに更新され、警報判断手段１１は、この更新データに基づいて監視中の警報窓についてのみ判定を行う。
【００４５】
この実施の形態５によれば、警報判断手段１１は、監視が必要な警報窓のみを選択して、選択した監視中の警報窓についてのみ判定を行うので、プラントの状態の確認を迅速に行うことができ、また、プラントに対する必要な対応処置が迅速に把握できる。
【００４６】
なお、この実施の形態５では、上記実施の形態３（図６）の警報判定手段１１に、警報窓活休手段１７を加えた例を示したが、上記実施の形態１または２の警報判定手段１０に、警報窓活休手段１７を加えても同様の効果が得られる。
【００４７】
また、警報窓活休手段１７を警報判定手段１１に設ける例を示したが、警報窓活休手段１７を独立させて設けてもよい。
【００４８】
実施の形態６．
図１１は、この発明に係る警報表示装置の実施の形態６を示すブロック図である。
この実施の形態６は、上記実施の形態５（図９）の警報判定手段１１に、入力装置警報活休手段１８を加えたものである。ここでは、入力装置警報活休手段１８は入力装置２のスイッチ１９をＯＮ、ＯＦＦする。
【００４９】
入力装置警報活休手段１８は、監視中の入力装置２を監視休止とする、あるいは監視休止の入力装置２を監視中として、警報情報データベース１４中の監視中あるいは監視休止に関するデータを更新する。この更新により、警報情報データベース１４中には入力装置２毎に監視中の警報窓２０ａと監視休止の警報窓２０ａのデータが入力される。警報判断手段１１は、警報情報データベース１４中の監視中の入力装置２における警報窓２０ａのみの判定を行う。
【００５０】
入力装置２の監視中／監視休止の切換操作は、図示はしないが、表示装置の画面上にある入力装置操作呼び出しボタンの選択操作で入力装置操作ウィンドウを呼び出し、選択操作で監視休止とする入力装置２を選択し、選択操作で休止を実行することにより、監視中の入力装置２における警報窓２０ａが監視休止に変わり、警報情報データベース１４中のデータがこの監視休止のデータに更新される。
【００５１】
この実施の形態６によれば、警報判断手段１１は、必要とする入力装置単位で監視すべき警報窓を選択し、選択した監視中の警報窓についてのみ判定を行うので、プラントの状態や必要な対応処置が迅速に把握できる。
【００５２】
なお、この実施の形態６では、上記実施の形態５（図９）において、入力装置警報活休手段１８を加えた例を示したが、上記実施の形態１ないし３における警報判定手段１１に、入力装置警報活休手段１８を加えても同様の効果が得られる。
【００５３】
また、入力装置警報活休手段１８を警報判定手段１１に設ける例を示したが、入力装置警報活休手段１８を独立させて設けてもよい。
【産業上の利用可能性】
【００５４】
この発明に係る警報表示装置は、発電プラント等のプラント監視システムに有効に利用することができる。
【図面の簡単な説明】
【００５５】
【図１】この発明に係る警報表示装置の実施の形態１を示すブロック図である。
【図２】図１に示したブロック図の動作を説明するフローチャートである。
【図３】警報窓表示手段及び警報メッセージ表示手段による表示装置における表示例を示す図である。
【図４】この発明に係る警報表示装置の実施の形態２を示すブロック図である。
【図５】表示装置において、警報メッセージ絞り込み手段により警報メッセージが編集される状態を示す図である。
【図６】この発明に係る警報表示装置の実施の形態３を示すブロック図である。
【図７】表示装置において、警報メッセージ再表示手段により警報メッセージが編集される状態を示す図である。
【図８】表示装置において、警報メッセージ絞り込み手段及び警報メッセージ再表示手段により警報メッセージが編集される状態を示す図である。
【図９】この発明に係る警報表示装置の実施の形態５を示すブロック図である。
【図１０】警報窓活休手段による警報窓の監視対象／監視対象外の切換操作を説明する図である。
【図１１】この発明に係る警報表示装置の実施の形態６を示すブロック図である。
【符号の説明】
【００５６】
１  プラント、２  入力装置、３  表示装置、１０  入力手段、１１  警報判定手段、
１２  警報メッセージ表示手段、１３  警報窓表示手段、１４  警報情報データベース、
１５  警報メッセージ絞込手段、１６  警報メッセージ再表示手段、
１７  警報窓活休判定手段、１８  入力装置警報活休手段、１９  スイッチ、
２０  警報窓群表示部、２０ａ  警報窓、２１  警報メッセージ表示部、
２５  警報窓操作ウィンドウ、４０，４１，４２，４３  選択操作。
【図１】
2006072677.tif 000003
【図２】
2006072677.tif 000004
【図３】
2006072677.tif 000005
【図４】
2006072677.tif 000006
【図５】
2006072677.tif 000007
【図６】
2006072677.tif 000008
【図７】
2006072677.tif 000009
【図８】
2006072677.tif 000010
【図９】
2006072677.tif 000011
【図１０】
2006072677.tif 000012
【図１１】
2006072677.tif 000013